(57)【要約】【課題】  耐久性があり、しかもあらゆる方向に対する滑りを効果的に防止することができる滑り防止マットを提供する。【解決手段】  マット本体２の表面に、直線状凸部３とく字状凸部４とからなり、前記直線状凸部３の長手方向の両側に隙間を空けてく字状凸部４を、前記直線状凸部３の長手方向端部をく字状凸部４の内側頂部４ａで挟むように配置して構成される凸部グループ５を、１の凸部グループ５のく字状凸部４の外側頂部４ｂと他の１の凸部グループ５のく字状凸部４の外側頂部４ｂとが隙間を空けて対向するように一列に配列して凸部グループ列６を設け、前記凸部グループ列６の両側に隙間を順次空けて多数の前記凸部グループ列６を並設した。【選択図】    図２
0003121975.tif 000002
【実用新案登録請求の範囲】
【請求項１】
マット本体の表面に、直線状凸部とく字状凸部とからなり、前記直線状凸部の長手方向の両側に隙間を空けてく字状凸部を、前記直線状凸部の長手方向端部をく字状凸部の内側頂部で挟むように配置して構成される凸部グループが、１の凸部グループのく字状凸部の外側頂部と他の１の凸部グループのく字状凸部の外側頂部とが隙間を空けて対向するように一列に配列されて凸部グループ列が設けられ、前記凸部グループ列の両側に隙間を順次空けて多数の前記凸部グループ列が並設されていることを特徴とする滑り防止マット。
【請求項２】
隣接する前記凸部グループ列は、前記１つの凸部グループの直線状凸部の両側に、隣の凸部グループ列にある２つの凸部グループを構成しているく字状凸部の外側頂部の対向部が存在し、隣り合う凸部グループ列にある前記く字状凸部の外側頂部の対向部はジグザクに並ぶように配列されていることを特徴とする請求項１に記載の滑り防止マット。
【請求項３】
前記マット本体と前記凸部グループは産業廃棄物のオルフェン系樹脂を用いて形成されていることを特徴とする請求項１または２に記載の滑り防止マット。
【考案の詳細な説明】
【技術分野】
【０００１】
本考案は、自動車が通る道路、人が通る道路や通路、水浸しになる屋内の傾斜面等の滑り易い場所に敷設して滑り防止を図る滑り防止マットに関するものである。
【背景技術】
【０００２】
従来のこの種のものとして、網状マット本体の表面に正・逆向きの鋸歯状の突起を刻設した滑り防止マット（例えば、特許文献１参照。）、或いはマット本体の表面に設けた格子状の仮想線の各交点に截頭円錐台形の凸部をそれぞれ設け、各凸部の上面に平面十字状の突起を設けた滑り防止マット（例えば、特許文献２参照。）等が提案されている。
【特許文献１】特開２００４−４１６５４号公報
【特許文献１】特開２００５−１４６７８５号公報
【考案の開示】
【考案が解決しようとする課題】
【０００３】
しかしながら、前者の滑り防止マットは、網状マット本体の表面に正・逆向きの鋸歯状の突起を刻設した構成となっているので、例えば、自動車のような重量の重い物の滑り防止として使用する場合は、耐久性に欠けるといった問題があり、また、後者の滑り防止マットは、あらゆる方向に対する滑りを防止するといった点で、必ずしも十分ではない、といった問題がある。
【０００４】
本考案の目的は、耐久性があり、しかもあらゆる方向に対する滑りを効果的に防止することができる滑り防止マットを提供することにある。
【課題を解決するための手段】
【０００５】
上記の目的を達成するために、請求項１に記載の滑り防止マットは、マット本体の表面に、直線状凸部とく字状凸部とからなり、前記直線状凸部の長手方向の両側に隙間を空けてく字状凸部を、前記直線状凸部の長手方向端部をく字状凸部の内側頂部で挟むように配置して構成される凸部グループが、１の凸部グループのく字状凸部の外側頂部と他の１の凸部グループのく字状凸部の外側頂部とが隙間を空けて対向するように一列に配列されて凸部グループ列が設けられ、前記凸部グループ列の両側に隙間を順次空けて多数の前記凸部グループ列が並設されていることを特徴とする。
【０００６】
請求項２に記載の滑り防止マットは、請求項１に記載の、隣接する前記凸部グループ列は、前記１つの凸部グループの直線状凸部の両側に、隣の凸部グループ列にある２つの凸部グループを構成しているく字状凸部の外側頂部の対向部が存在し、隣り合う凸部グループ列にある前記く字状凸部の外側頂部の対向部はジグザクに並ぶように配列されていることを特徴とする。
【０００７】
請求項３に記載の滑り防止マットは、請求項１または２に記載の、前記マット本体と前記凸部グループは産業廃棄物のオルフェン系樹脂を用いて形成されていることを特徴とする。
【考案の効果】
【０００８】
請求項１に記載の滑り防止マットによれば、マット本体の表面に、直線状凸部とく字状凸部とからなり、前記直線状凸部の長手方向の両側に隙間を空けてく字状凸部を、前記直線状凸部の長手方向端部をく字状凸部の内側頂部で挟むように配置して構成される凸部グループが、１の凸部グループのく字状凸部の外側頂部と他の１の凸部グループのく字状凸部の外側頂部とが隙間を空けて対向するように一列に配列されて凸部グループ列が設けられ、前記凸部グループ列の両側に隙間を順次空けて多数の前記凸部グループ列が並設されているので、横方向の滑りに対しては、凸部グループの直線状凸部が受けてその滑りを防止し、縦方向の滑りに対しては、凸部グループの直線状凸部の長手方向の両側に配置したく字状凸部の内側頂部が受けてその滑りを防止し、斜め方向の滑りに対しては、凸部グループの直線状凸部の長手方向の両側に配置したく字状凸部の外側辺と内側辺が受けてその滑りを防止することができ、このような凸部グループを一列に配列した凸部グループ列が多数並設されているので、あらゆる方向に対する滑りを効果的に防止することができる。  請求項２に記載の滑り防止マットによれば、隣接する前記凸部グループ列は、前記１つの凸部グループの直線状凸部の両側に、隣の凸部グループ列にある２つの凸部グループを構成しているく字状凸部の外側頂部の対向部が存在し、隣り合う凸部グループ列にある前記く字状凸部の外側頂部の対向部はジグザクに並ぶように配列されているので、あらゆる方向に対する滑りを一層効果的に防止することができる。
【０００９】
請求項３に記載の滑り防止マットによれば、前記マット本体と前記凸部グループは産業廃棄物のオルフェン系樹脂を用いて形成されているので、オルフェン系樹脂の産業廃棄物を用いて形成することができ、省資源に寄与することができる。
【考案を実施するための最良の形態】
【００１０】
以下、本考案に係る滑り防止マットを実施する最良の形態の一例を説明する。
【００１１】
図１乃至図３は本考案に係る滑り防止マットの第１例を示し、図１は本例の滑り防止マットの斜視図、図２は本例の滑り防止マットの一部拡大平面図、図３は本例の滑り防止マットの凸部グループの平面図である。
【００１２】
本例の滑り防止マット１は、マット本体２の表面に、直線状凸部３とく字状凸部４とからなり、前記直線状凸部３の長手方向の両側に隙間を空けてく字状凸部４を、前記直線状凸部３の長手方向端部をく字状凸部４の内側頂部４ａで挟むように配置して構成される凸部グループ５が、１の凸部グループ５のく字状凸部４の外側頂部４ｂと他の１の凸部グループ５のく字状凸部４の外側頂部４ｂとが隙間を空けて対向するように一列に配列されて凸部グループ列６が設けられ、前記凸部グループ列６の両側に隙間を順次空けて多数の前記凸部グループ列６が並設されている。
【００１３】
前記マット本体２の板厚は、本例では１３ｍｍ、マット本体２の上に配置され凸部グループ５を構成する直線状凸部３とく字状凸部４の高さは、本例では４ｍｍとなっているが、設置場所や用途に応じてこれらの値は適宜変更される。
【００１４】
前記マット本体２の表面に並設されている凸部グループ列６の、隣接する凸部グループ列６、６は、１つの凸部グループ５の直線状凸部３の両側に、隣の凸部グループ列６にある２つの凸部グループ５、５を構成しているく字状凸部４、４の外側頂部４ｂ、４ｂの対向部が存在し、隣り合う凸部グループ列６、６にあるく字状凸部４、４の外側頂部４ｂ、４ｂの対向部はジグザクに並ぶように配列されている（図２参照）。
【００１５】
また、滑り防止マット１は、ゴムや合成樹脂で形成されるが、本例では、電力用、電線用、電話用等の各種ケーブル、各家庭から排出されるバケツ等の容器類、農業で扱う黒マルチフィルム、商店のポリ袋等の産業廃棄物のオルフェン系樹脂を加熱して混練し、２８００トン油圧プレスして成形して形成されている。
【００１６】
上記のように構成された滑り防止マット１は、図３に示すように、横方向Ａの滑りに対しては、凸部グループ５の直線状凸部３が受けてその滑りを防止し、縦方向Ｂの滑りに対しては、凸部グループ５の直線状凸部３の長手方向の両側に配置したく字状凸部４の内側頂部４ａが受けてその滑りを防止し、斜め方向Ｃの滑りに対しては、凸部グループ５の直線状凸部３の長手方向の両側に配置したく字状凸部４の外側辺４ｃと内側辺４ｄが受けてその滑りを防止する。このような凸部グループ５を一列に配列した凸部グループ列６がマット本体２の表面に多数並設されているので、あらゆる方向に対する滑りを効果的に防止する。
【００１７】
本例では、前記マット本体２の表面に並設されている凸部グループ列６の、隣接する凸部グループ列６、６は、１つの凸部グループ５の直線状凸部３の両側に、隣の凸部グループ列６にある２つの凸部グループ５、５を構成しているく字状凸部４、４の外側頂部４ｂ、４ｂの対向部が存在し、隣り合う凸部グループ列６、６にある前記く字状凸部４、４の外側頂部４ｂ、４ｂの対向部はジグザクに並ぶように配列されているので、あらゆる方向に対する滑りを一層効果的に防止することができる。
【００１８】
また、本例では、滑り防止マット１を、電力用、電線用、電話用等の各種ケーブル、各家庭から排出されるバケツ等の容器類、農業で扱う黒マルチフィルム、商店のポリ袋等の産業廃棄物のオルフェン系樹脂を加熱して混練し、２８００トン油圧プレスして成形して形成されているので、省資源に寄与することができる。
【００１９】
図４は本考案に係る滑り防止マットの第２例を示す一部拡大平面図である。なお、前述した図１乃至図３と対応する部分には、同一符号を付けて示している。
【００２０】
本例の滑り防止マット１では、隣接する凸部グループ列６は、直線状凸部３の両隣に直線状凸部３が存在し、く字状凸部４の両隣にく字状凸部４が存在するように並設されている。このような構造でも、第１例と同様な効果を得ることができる。
【図面の簡単な説明】
【００２１】
【図１】本発明に係る滑り防止マットの第１例を示す斜視図である。
【図２】第１例の滑り防止マットの一部拡大平面図である。
【図３】第１例の滑り防止マットの凸部グループの平面図である。
【図４】本考案に係る滑り防止マットの第２例を示す一部拡大平面図である。
【符号の説明】
【００２２】
１  滑り防止マット
２  マット本体
３  直線状凸部
４  く字状凸部
４ａ  内側頂部
４ｂ  外側頂部
４ｃ  外側辺
４ｄ  内側辺
５  凸部グループ
６  凸部グループ列
【図１】
0003121975.tif 000003
【図２】
0003121975.tif 000004
【図３】
0003121975.tif 000005
【図４】
0003121975.tif 000006